(57)【特許請求の範囲】
【請求項１】
ＦＰＣ挿入空間（２１）が設けられた絶縁ハウジング（２）と、
絶縁ハウジング（２）に所定のピッチで並列して装着された複数の端子（３）であって、それぞれに設けられたコンタクト片（３１）が前記ＦＰＣ挿入空間（２１）に臨んでいる複数の端子（３）と、
ＦＰＣ挿入空間（２１）にＦＰＣ（５）を挿入可能とする第１の位置と、挿入されたＦＰＣ（５）を端子（３）のコンタクト片（３１）に向けて付勢する第２の位置の間で回動可能に設けられたアクチュエータ（４）とを備え、
前記アクチュエータ（４）が、回動軸方向で両端部に設けられた第１の軸（４５）と、この両端部の第１の軸（４５）の間に設けられた第２の軸（４６）を有しており、
アクチュエータ（４）を前記第２の位置から第１の位置に向けて回動する時、第２の軸（４６）の回動中心（Ｑ）が第１の軸（４５）に対する第１支持部分（６２１）から離れる方向へ移動するように、第１の軸（４５）の回動中心（Ｐ）と第２の軸（４６）の回動中心（Ｑ）がオフセットしていると共に、第２の軸（４６）が前記移動を弾性的に阻止する第２支持部分（３３１）で軸支されていることを特徴とするＦＰＣ用コネクタ（１）。
【請求項２】
前記アクチュエータ（４）の第１の軸（４５）は、アクチュエータ（４）の後端側両端に突出して設けられており、絶縁ハウジング（２）側に設けられた平坦な面（６２１）でなる第１支持部分に載置されている請求項１に記載のＦＰＣ用コネクタ（１）。
【請求項３】
前記絶縁ハウジング（２）側に設けられた第１支持部分（６２１）は、絶縁ハウジング（２）に装着された支持金具（６）の側縁で構成されている請求項２に記載のＦＰＣ用コネクタ（１）。
【請求項４】
前記支持金具（６）は、取付基板に半田付けが可能なネール部分（６３）を備えている請求項３に記載のＦＰＣ用コネクタ（１）。
【請求項５】
前記アクチュエータ（４）の第２の軸（４６）は、端子（３）から一体に延びる支持アーム（３３）の切欠凹部（３３１）で構成された第２支持部分に収容されている請求項１に記載のＦＰＣ用コネクタ（１）。
【請求項６】
前記端子（３）の支持アーム（３３）は、絶縁ハウジング（２）に装着された複数の端子（３）のうちの少なくとも一つの端子（３）に設けられている請求項５に記載のＦＰＣ用コネクタ（１）。
【発明の詳細な説明】
【０００１】
【発明の属する技術分野】
この発明は、一般にＦＰＣ、ＦＦＣなどと呼ばれている平型柔軟ケーブル（この明細書においてもこれらを代表して単に「ＦＰＣ」という。）を接続するためのＦＰＣ用コネクタに関する。
【０００２】
【従来の技術】
従来この種のコネクタは、ＦＰＣ挿入空間が設けられた絶縁ハウジングと、絶縁ハウジングに所定のピッチで並列して装着された複数の端子であって、それぞれに設けられたコンタクト片が前記ＦＰＣ挿入空間に臨んでいる複数の端子と、ＦＰＣ挿入空間にＦＰＣを挿入可能とする第１の位置（開放位置）と、挿入されたＦＰＣを端子のコンタクト片に向けて付勢する第２の位置（閉鎖位置）の間で回動可能に設けられたアクチュエータとを備えた構成とされていた。
【０００３】
前記アクチュエータの第１の位置と第２の位置の間の回動は、実用新案登録第２５８００７４号公報の図３、４、５に示され、特開２００１−３０７８２９号公報の図２、３に示され、更には、特開２００２−２８９２８３号公報の図１に示されているように、略固定された回動軸の回りで回動するようにしたものと、実用新案登録第３０３５６９２号公報の図１〜図１０に順次示されているように、回動中心が移動しながら回動するようにしたものが知られている。
【０００４】
回動可能に設けられたアクチュエータが第２の位置にある状態で、不用意に第１の位置の方向へ回動しないようにするために、特開２００２−２８９２８３号公報の図５に表れているように、抑止翼５５と、アクチュエータ（加圧部材）５６の操作端側の両端に垂下片の形状で設けられている係合片（符号なし）を互いに係合するようにしている。アクチュエータが第２の位置にある状態は、絶縁ハウジングに挿入されたＦＰＣと端子が電気的に接続した状態であり、この接続状態を安定に保つために、このような構成が採用されている。
【０００５】
第２の位置にあるアクチュエータの位置を保持するための構造として、図１９〜図２１に示したような構造も知られている。図において、ａが絶縁ハウジング、ｂが端子、ｃがアクチュエータである。アクチュエータｃの両端面に断面が半円形の突部ｃ１が設けられ、絶縁ハウジングａの両側壁ａ１の内面に形成された弧状の凹入係止部ａ２に係合するようにしている。
【０００６】
アクチュエータの回動を制限する機構には、上記のほかに、実用新案登録第２５８００７４号や特開２００１−３０７８２９号公報で開示されているような、端子のコンタクト片の弾性反力を利用して、アクチュエータを閉鎖方向へ付勢する構成のものも知られている。実用新案登録第２５８００７４号公報においては、明細書の段落［００１９］〜［００２１］、特に［００２１］にこのことが説明されている。また、特開２００１−３０７８２９号公報では、明細書の段落［００１１］と［００１３］にこのことが説明されている。
【０００７】
【発明が解決しようとする課題】
アクチュエータが不用意に回動しないようにした前記の如くの構成のうち、前者のアクチュエータと絶縁ハウジングの間で係合構造を設けるようにしたものは、コネクタの高さや端子の並列している幅方向などで、コネクタ内にある一定の領域をさかなければならないので、コネクタの小型化を図る場合に困難に遭遇していた。
また、後者のコンタクト片の弾性反力を利用するようにしたものは、コネクタにＦＰＣを接続した状態でなければコンタクト片の弾性反力が働かないものであった。このため、ＦＰＣを接続する前の、輸送や取付基板への実装の際に、外的衝撃でアクチュエータが不用意に回動してしまう（開いてしまう）という困難に遭遇していた。
【０００８】
この発明は、このような事情を考慮して成されたもので、ＦＰＣの接続の有無に拘わらず、閉鎖位置（第２の位置）にあるアクチュエータが不用意に開放位置（第１の位置）の方向へ回動しないようにしたＦＰＣ用コネクタを提供することを目的としている。
【０００９】
【課題を解決するための手段】
上記の目的はこの発明の、ＦＰＣ挿入空間が設けられた絶縁ハウジングと、
絶縁ハウジングに所定のピッチで並列して装着された複数の端子であって、それぞれに設けられたコンタクト片が前記ＦＰＣ挿入空間に臨んでいる複数の端子と、
ＦＰＣ挿入空間にＦＰＣを挿入可能とする第１の位置と、挿入されたＦＰＣを端子のコンタクト片に向けて付勢する第２の位置の間で回動可能に設けられたアクチュエータとを備え、
前記アクチュエータが、回動軸方向で両端部に設けられた第１の軸と、この両端部の第１の軸の間に設けられた第２の軸を有しており、
アクチュエータを前記第２の位置から第１の位置に向けて回動する時、第２の軸の回動中心が第１の軸に対する第１支持部分から離れる方向へ移動するように、第１の軸の回動中心と第２の軸の回動中心がオフセットしていると共に、第２の軸が前記移動を弾性的に阻止する第２支持部分で軸支されていることを特徴とするＦＰＣ用コネクタ、によって達成される。
【００１０】
【作用】
このように構成されるこの発明のＦＰＣ用コネクタによれば、アクチュエータに第１の軸と第２の軸がオフセット状態で設けられ、第２の軸が弾性反力を発揮できる第２支持部分で軸支されている構成としたので、コネクタにＦＰＣが接続されている状態でも、接続されていない状態でも、第２の位置（閉鎖位置）にあるアクチュエータが第１の位置（開放位置）へ向けて不用意に回動しようとすると、第２の軸に第２支持部分から弾性反力が作用して回動を阻止する。
【００１１】
前記アクチュエータの第１の軸は、請求項２のように、アクチュエータの後端側両端に突出して設け、絶縁ハウジング側に設けられた平坦な面でなる第１支持部分に載置して回動可能に軸支するのが好ましい。この場合、絶縁ハウジング側に設けられる第１支持部分は、絶縁ハウジングに一体として設けても良いが、請求項３のように、絶縁ハウジングに装着された支持金具の側縁で構成することで、支持部分を堅固にすることができる。このような支持金具には、請求項４のように、取付基板に半田付けが可能なネール部分を備えるようにすることで、部品点数の増加を抑えることができる。
【００１２】
また、前記アクチュエータの第２の軸は、請求項５のように、端子から一体に延びる支持アームの切欠凹部で構成された第２支持部分に収容されている構成として、支持アームに弾性反力を発揮させるようにするのが望ましいが、絶縁ハウジングにこのような第２支持部分を直接、一体として形成することも可能である。端子に一体に設けられる支持アームは、以下で説明する実施形態のように、絶縁ハウジングに装着されている全ての端子に設けることができるが、これに限られるものではなく、請求項６のように、少なくとも一つの端子に設けられていればこの発明に含まれる。
【００１３】
【発明の実施の形態】
以下、この発明の実施形態のＦＰＣ用コネクタについて詳細に説明する。
【００１４】
図１、２及び図３、４に実施形態のＦＰＣ用コネクタ１が示されている。このＦＰＣ用コネクタ１は、絶縁ハウジング２と、複数の端子３と、アクチュエータ４とを備えている。絶縁ハウジング２とアクチュエータ４は、絶縁性のプラスチックで成形されている。端子３は、薄金属板を打ち抜いて成形されている。アクチュエータ４は、図１、３に示されている第１の位置（開放位置）と、図２、４に示されている第２の位置（閉鎖位置）の間で回動可能とされている。アクチュエータ４が第１の位置にあるときは、絶縁ハウジング２に設けられているＦＰＣ挿入空間２１にＦＰＣ５（図１７参照）を挿入することが可能となる。また、アクチュエータ４が第２の位置にあるときは、アクチュエータ４に設けられている加圧面４１が、ＦＰＣ挿入空間２１に挿入されたＦＰＣ５を端子３のコンタクト片３１に向けて押圧付勢することができ、ＦＰＣ５と端子３を電気的に接続する。
【００１５】
絶縁ハウジング２は、図１〜４、特に図１、３に示されているように、細幅の板状で、中間部前方（図において手前側）がくりぬかれた形状とされて、ＦＰＣ挿入空間２１、側壁２２、後壁２３、底壁２４が画成されている。ＦＰＣ挿入空間２１は、前方と上方が開放している。後壁２３には頂壁２５が一体に設けられ、ＦＰＣ挿入空間２１側にひさし状となって延びている。後壁２３の上部には、長手方向に所定のピッチで端子装着孔２６が形成されている。この端子装着孔２６は、頂壁２５に形成された端子受入溝２７に連続している。また、端子装着孔２６に対応させて、後壁２４の下部には、コンタクト挿入孔２８が形成されている。コンタクト挿入孔２８に連続するようにして、底壁２４にはコンタクト受入溝２９が形成されている。
【００１６】
絶縁ハウジング２の両側壁２２には、図３、４に表れているように、それぞれ支持金具６が側壁２２に沿って装着されている。この支持金具６は、比較的厚い金属板を打ち抜いて図５のように成形したものである。絶縁ハウジング２の側壁２２内に圧入されて係止する係止部分６１に幅広の支持部分６２が連続しており、また、支持部分６２の下部に、屈曲して折り返されたネール部分６３が連続している。一方の側壁２２に装着される支持金具６と、他方の側壁２２に装着される支持金具６は、係止部分６１と支持部分６２に対してネール部分６３が互いに反対の側に連続している。
【００１７】
側壁２２に装着された支持金具６は、支持部分６２の上縁部が、図１、３、４に表れているように、ＦＰＣ挿入空間２１の側部において露出している。また、支持金具６のネール部分６３は、その下面６３１が絶縁ハウジング２の底壁２４の下面と略面一となって、取付基板（図示せず）上に半田付けができるようにされている。
【００１８】
ＦＰＣ挿入空間２１の側部において露出している支持金具６の支持部分６２は、上部側縁に平坦な面６２１が形成されており、以下で説明するように、アクチュエータ４に対する第１支持部分を構成している。
【００１９】
複数の端子３は、絶縁ハウジング２の各端子装着孔２６に一つずつ装着されている。各端子３は、図１、２に表れているように、端子装着孔２６に挿入されて係止する装着片３２から支持アーム３３が直線的に延びるとともに、装着片３２からコンタクト片３１が弧状に延びた形状をしており、支持アーム３３とコンタクト片３１が二股状となっている。支持アーム３３は、絶縁ハウジング２の頂壁２５に形成した端子受入溝２７に沿って延びて、ＦＰＣ挿入空間２１の上部に臨む長さを有している。コンタクト片３１は、絶縁ハウジング２のコンタクト挿入孔２８を通してコンタクト受入溝２９に沿って延びて、ＦＰＣ挿入空間２１の下部に片持ち梁状となって臨む長さを有している。コンタクト片３１の先端部上縁には、コンタクト部３１１が突起状に形成されており、ＦＰＣ挿入空間２１に挿入されるＦＰＣ５の下面と対向できるようにされている。
【００２０】
端子３のコンタクト片３１の基部からはテール片３４が外向きに分岐して設けられており、絶縁ハウジング２の底壁２４の下面と略面一となって、前記ネール部分６３と同様に、取付基板へ半田付けができるようにされている。
【００２１】
端子３のコンタクト片３１は、絶縁ハウジング２のコンタクト挿入孔２８とコンタクト受入溝２９の中でフリーの状態となっており、コンタクト片３１の略全長に亘る部分が図の上下の方向で弾性変形が可能となっている。これに対して、端子３の支持アーム３３は、装着片３２に近いおよそ半分の長さに亘る部分が、上縁を絶縁ハウジング２の頂壁２５でバックアップされて上方向への変形が拘束されている。支持アーム３３の先端側のおよそ半分の長さに亘る部分は、ＦＰＣ挿入空間２１でフリーの状態とされ、上下の方向で弾性変形が可能となっているが、コンタクト片３１に比べると弾性変形がしにくくなっている。
【００２２】
この弾性変形が可能な部分とされた支持アーム３３の先端部下縁には、切欠凹部３３１が形成されている。この切欠凹部３３１は、以下で説明するように、アクチュエータ４に対する第２支持部分を構成している。
【００２３】
次に、アクチュエータ４の構成について説明する。このアクチュエータ４は、図１〜図４に明らかなように、略方形の細長い板状をしており、絶縁ハウジング２に形成されたＦＰＣ挿入空間２１の上部に収容できる大きさとなっている。回動の操作部となる先端４２側の下面にテーパ面４３が形成されて、先端４２側が中間部から徐々に薄くなるようにしてある。後端４４側は逆に、下面側が突出するように中間部より厚く形成され、この下面がＦＰＣ５に対する加圧面４１となっている。
【００２４】
基本的な形状を上記の如くにしたアクチュエータ４は、回動の際の回動軸が後端４４側に沿って形成されるように、第１の軸４５と複数の第２の軸４６が設けられている。第１の軸４５は後端４４側の両端に回動軸方向で突出して設けられている。この第１の軸４５は、断面が略台形とされ（図６参照）、前記支持金具６の支持部分６２の側縁に形成した平坦な面６２１、即ち第１支持部分に載置されている。
【００２５】
アクチュエータ４の第２の軸４６は、アクチュエータ４の後端４４側に形成された複数の貫通孔４７の中に、回動軸方向で設けられている。この第２の軸４６は、基本的に断面が略円形とされている。複数の貫通孔４７は、絶縁ハウジング２に装着した端子３の支持アーム３３に、１対１で対応するように形成されている。アクチュエータ４を組み付けると、各支持アーム３３が貫通孔４７に進入し、支持アーム３３の先端部下縁に形成した切欠凹部３３１、即ち第２支持部分に、断面が略円形とされた第２の軸４６が収容されるようにしてある。支持アーム３３の切欠凹部３３１は弧状とされ、この弧状縁に第２の軸４６の周面が接するようにされている。
【００２６】
図６、７には、前記第１の軸４５が第１支持部分６２１に支持されている部分が示されている。また、図８には、前記第２の軸４６が第２支持部分３３１に支持されている部分が示されている。図６、７に明確に示されているように、第１の軸４５は、台形の斜辺に相当する側面で構成される第１停止面４５１と、台形の底辺に相当する側面で構成される第２停止面４５２と、これら第１、第２停止面４５１、４５２に挟まれた円弧面４５３を有している。したがって、アクチュエータ４が回動する時には、支持金具６の平坦な面（第１支持部分）６２１で支持される第１の軸４５は、円弧面４５３が平坦な面６２１に接した状態で、円弧面４５３の中心点Ｐを回動中心として回動するようにされている。また、アクチュエータ４が第１の位置（開放位置）にある時は、第１停止面４５１が平坦な面（第１支持部分）６２１に接し、第２の位置（閉鎖位置）にある時は、第２停止面４５２が平坦な面（第１支持部分）６２１に接するようにされている。
【００２７】
図８を参照して、第２の軸４６について説明すると、この実施形態では、第２の軸４６はおよそ半円に相当する円弧面４６１と、係合凹部４６２とを有している。アクチュエータ４が回動する時には、端子３の支持アーム３３に形成された切欠凹部（第２支持部分）３３１に収容されるこの第２の軸４６は、円弧面４６１が切欠凹部３３１の縁に接した状態で、円弧面４６１の中心点Ｑを回動中心として回動するようにされている。また、アクチュエータ４が第２の位置（閉鎖位置）にある時は、弧状の切欠凹部３３１に突出するように設けた突部３３２と係合凹部４６２が係合するようにされている。
【００２８】
前記第１の軸４５の円弧面４５３の中心点Ｐと、第２の軸４６の円弧面４６１も中心点Ｑは、図９、１０に示されているように、オフセット（偏心）している。つまり、アクチュエータ４を第２の位置（閉鎖位置）から第１の位置（開放位置）に向けて、図の矢示Ｒのように回動させる時には、第２の軸４６の円弧面４６１の中心点Ｑが、図９の矢示ｒのように、第１の軸４５に対する第１支持部分６２１から離れる方向へ移動するようにされている。即ち、第２の軸４６が、図１０に点線で示した位置から実線で示す位置へと移動するようにされている。そして、この中心点Ｑの移動は、端子３の支持アーム３３の矢示Ｆ方向（図９）への弾性変形を伴い（図１０では、点線で示した位置から実線で示した位置へと変形）、この弾性変形の反力が第２の軸４６に作用して、中心点Ｑのこのような移動を阻止するようにされている。したがって、アクチュエータ４の回動には、この支持アーム３３の弾性反力に打ち勝つだけの力を必要とするようになっている。
【００２９】
加えて、この実施形態では、支持アーム３３の切欠凹部（第２支持部分）３３１に突部３３２を設けて、第２の軸４６の係合凹部４６２に係合させるようにしたので、第２の軸４６は、後方（図９において右方向）への移動が拘束されている。したがって、アクチュエータ４を矢示Ｒの方向へ回動させる時には、第１の軸４５の円弧面４５３が第１支持部分（平坦な面）６２１に沿って前方（図９において左方向）へ摩擦に打ち勝って摺動させる必要が有り、このための力もアクチュエータ４に加えなければならないものとなっている。
【００３０】
以上のように構成された実施形態のＦＰＣ用コネクタ１の、アクチュエータ４の回動の様子が図１１から図１７に亘って順次示されている。ＦＰＣ５を接続する時は、図１１のようにアクチュエータ４を第１の位置（開放位置）に回動させて、ＦＰＣ挿入空間２１を開放し、ＦＰＣ５の接続端部を挿入する。ＦＰＣ５を挿入した後、アクチュエータ４を図１２、１３、・・・を経て、図１７の第２の位置（閉鎖位置）まで回動させる。この接続時のアクチュエータ４の回動には、端子３の支持アーム３３の弾性反力も加わる。アクチュエータ４が第２の位置に到達すると、アクチュエータ４が前記のように端子３の支持アーム３３の弾性反力を受けて、これによってアクチュエータ４の加圧面４１がＦＰＣ５の表面へ衝突するように接するので、この時「パチン」と音を発して、操作者にクリック感を与えることができると共に、アクチュエータ４は再現性良く第２の位置で停止させることができる。
【００３１】
図１８には、ＦＰＣ５が挿入された状態が示されている。アクチュエータ４が第２の位置では、加圧面４１がＦＰＣ５を端子３のコンタクト片３１に向けて押圧付勢し、コンタクト片３１のコンタクト部３１１とＦＰＣ５の接点を適度の接触圧で当接させて、電気的な接続を形成する。アクチュエータ４の第２の位置の再現性が良いために、コンタクト部３１１と接点の接触圧も、再現性良く、一定の圧力を確保し、常に安定な接続状態を形成することができる。
【００３２】
ＦＰＣ５が接続されたアクチュエータ４の第２の位置は、その位置に安定的に保持することができる。即ち、不用意にアクチュエータ４が第１の位置に向かって回動しようとすると、図９、１０を用いて説明したように、端子３の支持アーム３３を弾性変形させることとなるために、その弾性反力がそのような回動を阻止するように働く。したがって、アクチュエータ４は第２の位置に保持されて、安定な接続状態を確実に維持することができる。
【００３３】
このアクチュエータ４の第２の位置（閉鎖位置）から第１の位置（開放位置）に向かう不用意な回動は、ＦＰＣ５が挿入されていない場合でも阻止することができる。アクチュエータ４がＦＰＣ５を加圧しているかいないかに拘わらず、アクチュエータ４が第１の位置に向かって回動する時には、支持アーム３３の弾性変形を伴うためである。したがって、このＦＰＣ用コネクタ１を輸送する際や、取付基板に実装する際などに、第２の位置においたアクチュエータ４が不用意に第１の位置に向かって回動するのを阻止することができる。
【００３４】
このように、アクチュエータ４の不用意な回動が、端子３の支持アーム３３が発揮する弾性反力で阻止できるので、アクチュエータ４と絶縁ハウジング２の間では、図１９、２０、２１に示すような第２の位置（閉鎖位置）を維持するための係合構造は設けなくてよくできる。したがって、係合構造のためにさかなければならない部分（スペース）を無くすることができるので、ＦＰＣ用コネクタ１の小型化を図る際の障害を除くことができる。
【００３５】
ＦＰＣ５の接続を解除する場合は、アクチュエータ４を図１７の第２の位置から、図１６、１５、・・・を経て図１１の第１の位置まで回動させる。この場合、端子３の支持アーム３３の弾性反力に打ち勝つ力と、第１の軸４５の円弧面４５３と第１支持部分（平坦な面）６２１の摩擦に打ち勝つ力を加えることになる。アクチュエータ４が第１の位置に到達すると、第１の軸４５の第１停止面４５１が第１支持部分である平坦な面６２１に接して、その位置が固定されるので、ＦＰＣ５を抜き出したり、再度挿入する作業を、アクチュエータ４に邪魔されることなく行うことができる。
【００３６】
以上で説明した実施形態のＦＰＣ用コネクタ１では、全ての端子３に支持アーム３３を設けて、アクチュエータ４の対応する第２の軸４６と係合させているが、端子３の極数に比例して支持アーム３３の弾性反力が増強されることとなるので、端子３の極数に応じて、支持アーム３３を設ける端子３を減らすこともできる。例えば、１極おきの端子３に支持アーム３３を設けるようにすることができる。少なくとも一つの端子３に支持アーム３３を設けて、上記のように不用意なアクチュエータ４の回動を阻止することができる。
【００３７】
【発明の効果】
以上に説明したように、この発明のＦＰＣ用コネクタは、ＦＰＣが接続されているか、いないかに拘わらず、アクチュエータの第２の軸の移動で生じる弾性反力でアクチュエータの第２の位置（閉鎖位置）から第１の位置（開放位置）に向かう不用意な回動を阻止できる構成なので、接続状態を安定に維持できると共に、アクチュエータと絶縁ハウジングの間に係合構造を不要として小型化を図ることができる効果がある。
【図面の簡単な説明】
【図１】この発明の実施形態のＦＰＣ用コネクタの、アクチュエータが第１の位置にある時の、一部を破断して示した斜視図である。
【図２】同じく、アクチュエータが第２の位置にある時の、一部を破断して示した斜視図である。
【図３】実施形態のＦＰＣ用コネクタの、アクチュエータが第１の位置にある時の斜視図である。
【図４】同じく、アクチュエータが第２の位置にある時の斜視図である。
【図５】実施形態のＦＰＣ用コネクタに設けられた支持金具の斜視図である。
【図６】実施形態のＦＰＣ用コネクタの、第１の軸が第１支持部分に支持されている部分の拡大断面図である。
【図７】実施形態のＦＰＣ用コネクタの第１の軸が第１支持部分に支持されている部分の拡大斜視図（絶縁ハウジングを除く）である。
【図８】実施形態のＦＰＣ用コネクタの、第２の軸が第２支持部分に支持されている部分の拡大断面図である。
【図９】実施形態のＦＰＣ用コネクタの、第１の軸と第２の軸の回動中心を説明する図である。
【図１０】実施形態のＦＰＣ用コネクタのアクチュエータを第２の位置から第１の位置へ回動させる時の回動の変化を示す図である。
【図１１】実施形態のＦＰＣ用コネクタの、アクチュエータが第１の位置にある時の断面図である。
【図１２】図１１の状態からアクチュエータを第２の位置に向かって回動する途中の断面図である。
【図１３】図１２の状態からアクチュエータを第２の位置に向かって更に回動する途中の断面図である。
【図１４】図１３の状態からアクチュエータを第２の位置に向かって更に回動する途中の断面図である。
【図１５】図１４の状態からアクチュエータを第２の位置に向かって更に回動する途中の断面図である。
【図１６】図１５の状態からアクチュエータを第２の位置に向かって更に回動する途中の断面図である。
【図１７】実施形態のＦＰＣ用コネクタの、アクチュエータが第２の位置にある時の断面図である。
【図１８】実施形態のＦＰＣ用コネクタにＦＰＣが接続されている状態の断面図である。
【図１９】従来のＦＰＣ用コネクタの平面図である。
【図２０】同じく、従来のＦＰＣ用コネクタの正面図である。
【図２１】図１８のＡ部の拡大図である。
【符号の説明】
１          ＦＰＣ用コネクタ
２          絶縁ハウジング
２１        ＦＰＣ挿入空間
２２        側壁
２３        後壁
２４        底壁
２５        頂壁
２６        端子装着孔
２７        端子受入溝
２８        コンタクト挿入孔
２９        コンタクト受入溝
３          端子
３１        コンタクト片
３１１      コンタクト部
３２        装着片
３３        支持アーム
３３１      切欠凹部（第２支持部分）
３３２      突部
３４        テール片
４          アクチュエータ
４１        加圧面
４２        先端
４３        テーパ面
４４        後端
４５        第１の軸
４５１      第１停止面
４５２      第２停止面
４５３      円弧面
４６        第２の軸
４６１      円弧面
４６２      係合凹部
４７        貫通孔
５          ＦＰＣ
６          支持金具
６１        係止部分
６２        支持部分
６２１      平坦な面（第１支持部分）
６３        ネール部分
６３１      下面
【図１】
0003632106.tif 000002
【図２】
0003632106.tif 000003
【図３】
0003632106.tif 000004
【図４】
0003632106.tif 000005
【図５】
0003632106.tif 000006
【図６】
0003632106.tif 000007
【図７】
0003632106.tif 000008
【図８】
0003632106.tif 000009
【図９】
0003632106.tif 000010
【図１０】
0003632106.tif 000011
【図１１】
0003632106.tif 000012
【図１２】
0003632106.tif 000013
【図１３】
0003632106.tif 000014
【図１４】
0003632106.tif 000015
【図１５】
0003632106.tif 000016
【図１６】
0003632106.tif 000017
【図１７】
0003632106.tif 000018
【図１８】
0003632106.tif 000019
【図１９】
0003632106.tif 000020
【図２０】
0003632106.tif 000021
【図２１】
0003632106.tif 000022